(57)【要約】【課題】例えば複数の異なる地点に設置された複数の照明器具等の複数の制御対象部の互いに連動した制御を低コストで簡単に行うことができる制御装置を提供する。【解決手段】受信した所定の無線信号に基づいて位置情報と時刻情報とを生成して出力する受信部と、複数のプログラムを記憶するプログラム記憶部と、前記受信部が出力した前記位置情報に基づいて前記プログラム記憶部が記憶する前記複数のプログラムの中から実行するプログラムを選択するプログラム選択部と、前記プログラム選択部が選択した前記プログラムを前記受信部が出力した前記時刻情報に同期して実行することで所定の制御対象部を制御する制御部とを備える制御装置である。【選択図】図１
2017157469.tif 000002
【特許請求の範囲】
【請求項１】
受信した所定の無線信号に基づいて位置情報と時刻情報とを生成して出力する受信部と、
複数のプログラムを記憶するプログラム記憶部と、
前記受信部が出力した前記位置情報に基づいて前記プログラム記憶部が記憶する前記複数のプログラムの中から実行するプログラムを選択するプログラム選択部と、
前記プログラム選択部が選択した前記プログラムを前記受信部が出力した前記時刻情報に同期して実行することで所定の制御対象部を制御する制御部と
を備える制御装置。
【請求項２】
前記プログラム選択部が、前記位置情報に代えて、前記受信部が出力した前記位置情報と前記受信部が出力した前記時刻情報とに基づいて前記実行するプログラムを選択する
請求項１に記載の制御装置。
【請求項３】
前記プログラム選択部が、前記位置情報に代えて、前記受信部が出力した前記時刻情報に基づいて前記実行するプログラムを選択する、
請求項１に記載の制御装置。
【請求項４】
設置位置の位置情報を表す設置位置情報を記憶する設置位置情報記憶部をさらに備え、
前記設置位置情報記憶部に記憶されている前記設置位置情報と前記受信部が出力した前記位置情報とが対応する場合に、前記プログラム選択部が選択した前記プログラムを前記制御部が実行する
請求項１から請求項３の何れか１項に記載の制御装置。
【請求項５】
前記プログラム記憶部が記憶する前記複数のプログラムが、特定の期間に前記制御部によって実行される第１プログラムと前記制御部によって定期的に実行される第２プログラムとを含む
請求項１から請求項４のいずれか１項に記載の制御装置。
【請求項６】
前記所定の無線信号が、全地球測位システム（ＧＰＳ）信号である
請求項１から請求項５のいずれか１項に記載の制御装置。
【請求項７】
前記制御対象部が１または複数の照明器具である
請求項１から請求項６のいずれか１項に記載の制御装置。
【請求項８】
請求項１から請求項７のいずれか１項に記載の制御装置と、
前記制御対象部との組を、１または複数組備え、
前記組の各々は所定の位置に設置され、前記各々の組では前記制御装置が、その設置位置の位置情報および時刻情報のうち少なくとも一方に対応するプログラムを実行して、前記制御対象部を制御する、
制御システム。
【請求項９】
受信部が、受信した所定の無線信号に基づいて位置情報と時刻情報とを生成して出力し、
プログラム選択部が、前記受信部が出力した前記位置情報に基づいてプログラム記憶部が記憶する複数のプログラムの中から実行するプログラムを選択し、
制御部が、前記プログラム選択部が選択した前記プログラムを前記受信部が出力した前記時刻情報に同期して実行することで所定の制御対象部を制御する
制御方法。
【請求項１０】
制御装置のコンピュータを、
受信した所定の無線信号に基づいて位置情報と時刻情報とを生成して出力する手段、
出力した前記位置情報に基づいて前記制御装置の記憶部が記憶する複数のプログラムの中から実行するプログラムを選択する手段、
選択した前記プログラムを出力した前記時刻情報に同期して実行することで所定の制御対象部を制御する手段、
として機能させるためのプログラム。
【発明の詳細な説明】
【技術分野】
【０００１】
本発明は、制御装置、制御システム、制御方法およびプログラムに関する。
【背景技術】
【０００２】
特許文献１には、屋外において建造物に設置された多数の照明器具の色調を、外部環境に応じて変化させるライトアップシステムの一例が記載されている。特許文献１記載されているライトアップシステムでは、１台のパーソナルコンピュータ等の制御装置によって、風向および風速データ等に基づいて複数の照明器具の発光動作における輝度、照度、色等が連続的に制御される。
【先行技術文献】
【特許文献】
【０００３】
【特許文献１】特開２００５−２０９５５５号公報
【発明の概要】
【発明が解決しようとする課題】
【０００４】
ところで、屋外空間や建造物等の屋外施設を光によって演出する演出照明や景観照明においては、複数の異なる地点のライトアップを互いに連動させて行いたいというニーズがある。このニーズに対して、例えば、複数の異なる地点に設置されている複数の照明器具の制御を、特許文献１に記載されているように１つの制御装置で行おうとした場合、次のようなことが課題となる。すなわち、制御装置から複数の照明器具に対して複数の制御信号を伝送する際に、伝送路の敷設が容易でなかったり、コストが掛かってしまったり、中継装置等を介することで伝送時間が長くなり連動性の確保が難しくなったりするという課題がある。このため、互いに連動した複数の異なる地点のライトアップは、低コストで簡単に行うことが容易ではなかった。
【０００５】
本発明は、上記事情を考慮してなされたものであり、例えば複数の異なる地点に設置された複数の照明器具等の複数の制御対象の互いに連動した制御を低コストで簡単に行うことができる制御装置、制御システム、制御方法およびプログラムを提供することを目的とする。
【課題を解決するための手段】
【０００６】
上記課題を解決するため、本発明の一態様は、受信した所定の無線信号に基づいて位置情報と時刻情報とを生成して出力する受信部と、複数のプログラムを記憶するプログラム記憶部と、前記受信部が出力した前記位置情報に基づいて前記プログラム記憶部が記憶する前記複数のプログラムの中から実行するプログラムを選択するプログラム選択部と、前記プログラム選択部が選択した前記プログラムを前記受信部が出力した前記時刻情報に同期して実行することで所定の制御対象部を制御する制御部とを備える制御装置である。
【０００７】
また、本発明の一態様は、上記制御装置であって、前記プログラム選択部が、前記位置情報に代えて、前記受信部が出力した前記位置情報と前記受信部が出力した前記時刻情報とに基づいて前記実行するプログラムを選択する。
【０００８】
また、本発明の一態様は、上記制御装置であって、前記プログラム選択部が、前記位置情報に代えて、前記受信部が出力した前記時刻情報に基づいて前記実行するプログラムを選択する。
【０００９】
また、本発明の一態様は、上記制御装置であって、設置位置の位置情報を表す設置位置情報を記憶する設置位置情報記憶部をさらに備え、前記設置位置情報記憶部に記憶されている前記設置位置情報と前記受信部が出力した前記位置情報とが対応する場合に、前記プログラム選択部が選択した前記プログラムを前記制御部が実行する。
【００１０】
また、本発明の一態様は、上記制御装置であって、前記プログラム記憶部が記憶する前記複数のプログラムが、特定の期間に前記制御部によって実行される第１プログラムと前記制御部によって定期的に実行される第２プログラムとを含む。
【００１１】
また、本発明の一態様は、上記制御装置であって、前記所定の無線信号が、全地球測位システム（ＧＰＳ）信号である。
【００１２】
また、本発明の一態様は、上記制御装置であって、前記制御対象部が１または複数の照明器具である。
【００１３】
また、本発明の一態様は、上記制御装置と前記制御対象部との組を、１または複数組備え、前記組の各々は、所定の位置に設置され、前記各々の組では前記制御装置が、その設置位置の位置情報および時刻情報のうち少なくとも一方に対応するプログラムを実行して前記制御対象部を制御する制御システムである。
【００１４】
また、本発明の一態様は、受信部が、受信した所定の無線信号に基づいて位置情報と時刻情報とを生成して出力し、プログラム選択部が、前記受信部が出力した前記位置情報に基づいてプログラム記憶部が記憶する複数のプログラムの中から実行するプログラムを選択し、制御部が、前記プログラム選択部が選択した前記プログラムを前記受信部が出力した前記時刻情報に同期して実行することで所定の制御対象部を制御する制御方法である。
【００１５】
また、本発明の一態様は、制御装置のコンピュータを、受信した所定の無線信号に基づいて位置情報と時刻情報とを生成して出力する手段、出力した前記位置情報に基づいて前記制御装置の記憶部が記憶する複数のプログラムの中から実行するプログラムを選択する手段、選択した前記プログラムを出力した前記時刻情報に同期して実行することで所定の制御対象部を制御する手段、として機能させるためのプログラムである。
【発明の効果】
【００１６】
例えば本発明の制御装置を異なる複数の地点にそれぞれ設置し、無線信号に基づいて生成した位置情報に基づいて地点毎に異なるプログラムを選択し、選択したプログラムを無線信号に基づいて生成した時刻情報に同期して実行することで、各制御対象部を連動して制御することができる。この構成によれば、通信回線を省略することができ、また、連動性を容易に確保でき、複数の制御対象部の互いに連動した制御を低コストで簡単に行うことができる。
【図面の簡単な説明】
【００１７】
【図１】本発明の制御装置に係る一実施形態の構成例を示すブロック図である。
【図２】図１に示すプログラム選択情報テーブル１５１の構成例を示す図である。
【図３】図１に示す制御装置１の動作例を示すフローチャートである。
【図４】本発明の制御システムに係る一実施形態の構成例を側面から見て示す模式図である。
【図５】図４に示す制御システム１０ａの動作例を示すタイミング図である。
【図６】本発明の制御システムに係る他の実施形態の構成例を側面から見て示す模式図である。
【図７】本発明の制御装置に係る他の実施形態の構成例を示すブロック図である。
【発明を実施するための形態】
【００１８】
以下、図面を参照して本発明の実施形態について説明する。図１は、本発明の一実施形態に係る制御装置１および制御システム１０の構成例を示すブロック図である。図１に示す制御装置１は、受信部１１と、設置位置情報記憶部１２と、プログラム選択部１３と、制御部１４と、プログラム記憶部１５と、演出モード記憶部１６とを備える。また、図１に示す制御システム１０は、制御装置１と制御対象部２とを備える。
【００１９】
受信部１１は、アンテナと受信機を有し、ＧＰＳ（Global Positioning System；全地球測位システム）信号等の所定の無線信号を受信し、受信した無線信号に基づいて位置情報と時刻情報とを生成し出力する。位置情報は、経度および緯度、または経度、緯度および高度で、アンテナの位置を表す情報である。時刻情報は、時刻（例えば協定世界時（ＵＴＣ））を年月日時分秒で表す情報である。例えば、無線信号がＧＰＳ信号の場合、受信部１１は、ＧＰＳ信号に含まれる位置情報と時刻情報を出力する。
【００２０】
設置位置情報記憶部１２は、不揮発性のメモリであり、制御装置１が設置された位置の位置情報である設置位置情報１２１を記憶する。設置位置情報１２１は、経度および緯度、もしくは経度、緯度および高度またはそれらの範囲で表される情報である。設置位置情報１２１は、複数の設置位置情報を含んでいてもよい。設置位置情報１２１は、例えば制御装置１の工場出荷の際に、あるいは制御装置１が設置位置に設置された後に、設置位置情報記憶部１２に書き込まれる。設置位置情報記憶部１２への設置位置情報１２１の書き込みは、例えば図示していない所定のインタフェースを介して制御装置１に接続した書き込み用のコンピュータを用いてプログラム選択部１３を制御して行うことができる。
【００２１】
プログラム選択部１３は、例えばプロセッサ、揮発および不揮発性メモリ、入出力インタフェース等を含むＰＬＣ（プログラマブルロジックコントローラ）等のコンピュータであり、不揮発性メモリに記憶されている所定のプログラムを実行することで、制御部１４の動作を管理するための処理等を行う。プログラム選択部１３は、受信部１１が出力した位置情報に基づいて、あるいは、受信部１１が出力した位置情報と時刻情報に基づいて、あるいは、受信部１１が出力した時刻情報に基づいてプログラム記憶部１５が記憶する複数のプログラムの中から実行するプログラムを選択する。より具体的には、プログラム選択部１３は、例えば、受信部１１が出力した位置情報、あるいは、位置情報と時刻情報、あるいは、時刻情報に基づいてプログラム記憶部１５が記憶するプログラム選択情報テーブル１５１を参照し、プログラム記憶部１５が記憶する複数のプログラムの中から実行するプログラムを選択する。また、プログラム選択部１３は、受信部１１が出力した位置情報、あるいは、位置情報と時刻情報、あるいは、時刻情報に基づいてプログラム記憶部１５が記憶するプログラム選択情報テーブル１５１を参照し、動作管理情報を生成して、制御部１４に対して出力する。動作管理情報は、プログラム選択部１３が選択したプログラムを、制御部１４内のメモリのプログラムの格納領域に格納したり、受信部１１から入力した時刻情報に基づいて制御部１４にそのプログラムの実行を開始させたり、終了させたりするための指示情報である。動作管理情報には、例えば、プログラム選択部１３が選択したプログラムの識別情報や、そのプログラムの実行を指示する情報が含まれる。また、プログラム選択部１３は、位置情報と時刻情報に基づいて、当該年月日の曜日や当該年月日が祝日であるか否かを認識する機能、位置情報に基づいて日の入り時刻や日の出時刻を計算する機能等を有している。
【００２２】
制御部１４は、例えばＣＰＵ（中央処理装置）、揮発および不揮発性メモリ、入出力インタフェース等を含むコンピュータであり、不揮発性メモリ（あるいは揮発性メモリ）の所定領域に記憶されているプログラムを受信部１１が出力した時刻情報に同期して実行することで、制御対象部２に対して制御信号を出力して制御対象部２の動作を制御する。ここで制御部１４が上記所定領域に記憶して実行するプログラムは、プログラム選択部１３が選択したプログラムである。制御部１４は、プログラム選択部１３が出力した動作管理情報に基づき、プログラムの実行に先立ち、プログラム選択部１３が選択したプログラムを制御部１４内の不揮発性メモリの所定領域に記憶する。また、プログラム選択部１３が生成した動作管理情報に従って所定の時刻に、その記憶したプログラムの実行を開始する。例えば制御対象部２が１または複数の照明器具である場合、制御部１４は、制御対象部２に対して出力する制御信号をＤＭＸ５１２等のプロトコルに従った信号で出力することができる。ＤＭＸ５１２は、ＥＩＡ−４８５（アメリカ電子工業会（ＥＩＡ）により規定された、バス型接続ネットワークシステムの物理層規格）に基づく通信プロトコルであり、照明器具等において広く用いられている。制御部１４は、例えば、各照明器具等に割り当てたアドレスに応じたスロットを用いて、混色、点滅、明るさ、角度、シャッター、レンズ距離、タイム等の値を指定することで照明器具等の動作を制御する。なお、制御信号はデジタルの信号に限らず、アナログの信号であってもよい。
【００２３】
プログラム記憶部１５は、不揮発性のメモリであり、プログラム選択情報テーブル１５１と複数のプログラム１５２を記憶する。複数のプログラム１５２は制御部１４が実行するプログラムである。プログラム選択情報テーブル１５１は、プログラム選択部１３がプログラム１５２を選択したり、制御部１４へ出力する動作管理情報を生成する際に利用したりする情報を含むテーブルである。プログラム選択情報テーブル１５１は、例えば図２に示すレコード１５１Ｒを複数含んで構成されている。図２に示すレコード１５１Ｒは、次の情報を格納する複数のフィールド１５１１〜１５１９を含んでいる。
【００２４】
フィールド１５１１は、ある１つのプログラム１５２に対応した位置情報の経度の範囲を示す情報を格納する。フィールド１５１２は、同プログラム１５２に対応した位置情報の緯度の範囲を示す情報を格納する。フィールド１５１３は、同プログラム１５２に対応した位置情報の高度の範囲を示す情報を格納する。フィールド１５１４は、同プログラム１５２の属性の１つであるデイリーまたはイベントの種別を示す情報を格納する。種別「デイリー」は当該種別のプログラム１５２が１年間にわたって例えば毎日実行されたり、特定の曜日や週、月に実行されたり、定期的に繰り返し行われることを示す。種別「イベント」は当該種別のプログラム１５２が決められ期間にのみ実行されることを示す。なお、位置情報の範囲が同じで期間や時間が重複するプログラム１５２が複数ある場合、種別がイベントであるプログラム１５２が、種別がデイリーであるプログラム１５２より優先して実行されてもよい。すなわち、本実施形態においては、プログラム記憶部１５が記憶する複数のプログラム１５２は、特定の期間に制御部１４によって実行される種別がイベントのプログラム１５２（第１プログラム）とその特定の期間以外の期間に制御部１４によって実行可能な種別がデイリーのプログラム１５２（第２プログラム）とを含んでいる。なお、デイリーまたはイベントの種別を示す情報は、優先度を示す情報に代えてもよい。実行する期間や時間の条件が重複するプログラム１５２が複数ある場合、この優先度に従って実行するプログラム１５２を選択することができる。
【００２５】
フィールド１５１５は、フィールド１５１４に格納された種別がイベントである場合に、同プログラム１５２を実行するイベントの期間を示す情報を格納する。例えば、当該プログラム１５２を１回だけその期間に実行する場合、フィールド１５１５には、開始年月日と終了年月日を示す情報を格納する。また、当該プログラム１５２を毎年その期間に実行する場合、フィールド１５１５には、開始月日と終了月日を示す情報を格納する。
【００２６】
フィールド１５１６は同プログラム１５２の実行月を示す情報を格納する。ただし、例えば、同プログラム１５２を毎日実行する場合、あるいは次のフィールド１５１７に月をまたぐ期間を設定する場合には、フィールド１５１６をブランクにしてもよい。フィールド１５１６には１または複数の月を示す情報を格納する。フィールド１５１７は同プログラム１５２を実行する１または複数の日または期間を示す情報を格納する。フィールド１５１７には、例えば、「１月１日〜３月１５日」というように期間を示す情報を格納したり、「月曜日」あるいは「土曜日、日曜日」というように１または複数の曜日を示す情報を格納したり、「土日祝日」というように曜日と祝日を示す情報を格納したりすることができる。なお、フィールド１５１４に格納されている種別がイベントである場合、フィールド１５１６をブランクにするか、またはフィールド１５１６およびフィールド１５１７をブランクにする。フィールド１５１８は同プログラム１５２の実行時間を示す情報を格納する。フィールド１５１８には同プログラム１５２を１回のみ実行する場合には開始時刻を示す情報を格納する。また、同プログラム１５２を複数回連続して繰り返し実行する場合には開始時刻と終了時刻を示す情報をフィールド１５１８に格納する。また、フィールド１５１８には、「開始時刻が日の入り」、「開始時刻が日の入りから１時間後、終了時刻が日の出」というように日の入り時刻や日の出時刻を基準として開始時刻や終了時刻を示す情報を格納してもよい。
【００２７】
フィールド１５１９は同プログラム１５２のプログラム記憶部１５内での格納位置を示す情報または同プログラム１５２に設定された識別情報を格納する。プログラム選択部１３は、フィールド１５１９に格納されている情報に基づいてプログラム１５２をプログラム記憶部１５から読み出して制御部１４へ転送したり、制御部１４に対してプログラム１５２をプログラム記憶部１５から読み出すことを指示したりする。なお、フィールド１５１９には複数のプログラム１５２を指定する情報を格納してもよい。例えば、プログラム選択部１３が２以上のプログラム１５２を選択し、制御部１４が選択された２以上のプログラム１５２を組み合わせて実行することができる。
【００２８】
演出モード記憶部１６は、不揮発性のメモリであり、制御装置１に設けられた切替スイッチ等の操作子、あるいは外部入力によって入力された演出モードの設定を記憶する。演出モードとは、デイリーまたはイベントのどちらの種別のプログラム１５２を実行するかの設定のことである。例えばデイリーモードに設定した場合には種別がデイリーのプログラム１５２のみを選択するようにし、イベントモードに設定した場合には種別がイベントのプログラム１５２をイベント期間外でも選択できるようにすることができる。
【００２９】
制御対象部２は、制御部１４が出力した制御信号によって制御される１または複数の装置である。制御対象部２は、例えば１または複数の照明器具である。ただし、制御対象部２は、照明器具に限らず、例えば、１または複数の表示装置、音響機器、空調機器等であってもよいし、それらを混在させて含んでいてもよい。
【００３０】
なお、図１に示す構成は一例であって本発明の実施形態はその構成に限定されない。例えば、設置位置情報記憶部１２とプログラム記憶部１５をプログラム選択部１３に内蔵したり、プログラム選択情報テーブル１５１とプログラム１５２とを異なる記憶装置に記憶したり、プログラム選択部１３と制御部１４とを統合したりしてもよい。また、無線信号は、ＧＰＳ信号に限らず、移動体通信網から送信された無線信号等、位置情報と時刻情報を含む他の無線信号であってもよい。また、制御装置１と制御対象部２は一体化していてもよい。また、受信部１１が有するアンテナと受信機とは離間して設置されていてもよい。
【００３１】
また、プログラム記憶部１５が記憶する複数のプログラム１５２の構成と、プログラム選択部１３によるプログラムの選択の仕方は、次のように変形してもよい。例えば、プログラム記憶部１５が複数の部分プログラムを記憶し、プログラム選択部１３が複数の部分プログラムの組み合わせを選択することで制御部１４が実行するプログラムを選択するようにしてもよい。また、例えば、プログラム記憶部１５が１または複数のプログラムと複数のパラメータとを記憶し、プログラム選択部１３がプログラムとパラメータを組み合わせて選択することで、制御部１４が実行するプログラムを選択するようにしてもよい。
【００３２】
次に、図３を参照して図１に示す制御装置１の動作の一例について説明する。図３は、プログラム選択部１３が実行を開始する処理の流れを示すフローチャートである。プログラム選択部１３は、起動時および図３の処理が終了している場合に、例えば、一定時間毎に図３に示す処理の実行を開始する。また、前提として演出モード記憶部１６は、実行するプログラムの種別がイベントかデイリーかを記憶しているとする。
【００３３】
図３に示す処理で、プログラム選択部１３は、まず、受信部１１が出力した位置情報と時刻情報を取得する（ステップＳ１）。次に、プログラム選択部１３は、設置位置情報記憶部１２から設置位置情報１２１を取得する（ステップＳ２）。
【００３４】
次に、プログラム選択部１３は、ステップＳ１で取得した位置情報と、ステップＳ２で取得した設置位置情報１２１とが対応しているか否かを判定する（ステップＳ３）。ステップＳ３では、ステップＳ１で取得した位置情報が、設置位置情報１２１が示す経度、緯度および高さから一定の範囲内にある場合、あるいは設置位置情報１２１が示す経度、緯度および高さの範囲内にある場合に、プログラム選択部１３が、ステップＳ１で取得した位置情報とステップＳ２で取得した設置位置情報１２１とが対応していると判定する。ただし、ステップＳ３では、高さについての判定は省略することができる。このステップＳ３で対応していないと判定した場合（ステップＳ３でＮＯ）、プログラム選択部１３は処理を終了する。このステップＳ３の判定処理は、制御装置１が意図した設置位置に設置された状態で起動されているのか否かを判定する処理である。例えば、予定した設置位置ではない位置に設置された場合、悪意で異なる位置に移動された場合等に制御装置１が動作しないようにすることができる。なお、ステップＳ３の判定結果は、例えば制御装置１に図示していない表示部を設けて表示したり、図示していない音響出力部を設けて音響出力したりすることで、設置者等が確認できるようにしてもよい。
【００３５】
ステップＳ３で対応していると判定した場合（ステップＳ３でＹＥＳ）、プログラム選択部１３は、実行するプログラムの種別がイベントかどうかを判定する（ステップＳ４）。ステップＳ４でプログラム選択部１３は、演出モード記憶部１６を参照して、イベントを示す情報が記録されている場合、実行するプログラムの種別がイベントであると判定する。種別がイベントであると判定した場合（ステップＳ４でＹＥＳ）、プログラム選択部１３は、プログラム選択情報テーブル１５１を参照して、例えば、種別がイベントで位置情報の範囲が対応していて開始時刻が１日以内に到来するプログラム１５２を選択し、その中で最も開始時刻が早い対応するプログラム１５２の識別情報（ＩＤ）を含む動作管理情報を生成し、制御部１４に出力することで、当該プログラム１５２を制御部１４に格納する（ステップＳ６）。
【００３６】
一方、種別がイベントではないと判定した場合（ステップＳ４でＮＯ）、プログラム選択部１３は、実行するプログラムの種別がデイリーかどうかを判定する（ステップＳ５）。ステップＳ５でプログラム選択部１３は、演出モード記憶部１６を参照して、デイリーを示す情報が記録されている場合、種別がデイリーであると判定する。種別がデイリーであると判定した場合（ステップＳ５でＹＥＳ）、プログラム選択部１３は、プログラム選択情報テーブル１５１を参照して、位置情報の範囲が対応していて開始時刻が１日以内に到来するプログラム１５２がある場合、その中で最も開始時刻が早い対応するプログラム１５２の識別情報（ＩＤ）を含む動作管理情報を生成し、制御部１４に出力することで、当該プログラム１５２を制御部１４に格納する（ステップＳ６）。一方、種別がデイリーではないと判定した場合（ステップＳ５でＮＯ）、プログラム選択部１３は処理を終了する。
【００３７】
ステップＳ６でプログラム選択部１３が当該プログラム１５２を制御部１４に格納した場合、プログラム選択部１３は時刻情報が開始時刻に到達するまで待機する（ステップＳ７でＮＯの繰り返し）。そして、プログラム選択部１３は、時刻情報が開始時刻に到達すると（ステップＳ７でＹＥＳ）、当該プログラム１５２の実行を指示する動作管理情報を生成し、制御部１４に出力することで、制御部１４による当該プログラム１５２の実行を開始する（ステップＳ８）。ただし、ステップＳ７とステップＳ８で、実行の開始時刻を待機する処理と到達した場合に実行を開始する処理は、制御部１４が行うようにしてもよい。
【００３８】
次に、プログラム選択部１３は、時刻情報が終了時刻に到達すると、制御部１４による当該プログラム１５２の実行を終了する（ステップＳ９でＹＥＳ〜ステップＳ１０）。ここでプログラム選択部１３は処理を終了する。ただし、ステップＳ９とステップＳ１０で、実行の終了時刻の到達を判定する処理と到達した場合に実行を終了する処理は、制御部１４が行うようにしてもよい。
【００３９】
図３を用いて説明した処理の流れは一例である。例えば、ステップＳ２およびステップＳ３を省略することが可能である。また、ステップＳ４やステップＳ５において、プログラム選択部１３が、位置情報と時刻情報とに基づいて実行するプログラムを選択した例で説明したが、プログラム選択部１３が、位置情報のみに基づいてプログラムを選択してもよい。あるいは、プログラム選択部１３が、時刻情報のみに基づいてプログラムを選択してもよい。なお、プログラム選択部１３が、プログラムの選択に位置情報、時刻情報のうちどれを用いるかについては、例えば、図示していない所定のインタフェースを介して切り替えが可能であってもよい。
【００４０】
図３を用いて説明したように、制御装置１は、位置情報に対応するプログラムを所定の範囲の位置情報分だけ記憶しており、ある位置に設置されると、自律的にその設置位置に対応したプログラム１５２を実行することができる。この性質を利用すると、制御装置１を様々な場所に設置するだけで、その設置位置に対応するプログラム１５２の実行により照明器具（制御対象部２）の点灯制御を行い、場所ごとの照明演出を行わせることができる。また、複数の制御装置１について、ある位置情報に対応するプログラム１５２の示す制御内容が、他の位置情報に対応するプログラム１５２と連動した制御内容となるように構成されたプログラム１５２群を記憶させ、互いに離れた場所に複数の制御装置１を設置する。すると、各制御装置１が自律的に場所に応じた照明演出を行うことで、全体としてまとまりのあるライトアップ照明を実現することができる。以下で、図４〜６を用いていくつかの例を示す。
【００４１】
まず、図４および図５を参照して、図１に示す制御装置１を複数用いて、複数の制御対象部２を連動して制御する例について説明する。図４に示す制御システム１０ａは、橋梁２０１に互いに離間して設置した照明器具２Ａ−１〜２Ａ−３、２Ｂ−１〜２Ｂ−３、および２Ｃ−１〜２Ｃ−３を、３台の図１に示す制御装置１（図４では制御装置１Ａ、１Ｂおよび１Ｃとして示す）で制御する。制御装置１Ａは、地点１００Ａに設置されていて、図１に示す制御対象部２に対応する構成である照明器具２Ａ−１〜２Ａ−３を制御する。制御装置１Ｂは、地点１００Ｂに設置されていて、図１に示す制御対象部２に対応する構成である照明器具２Ｂ−１〜２Ｂ−３を制御する。制御装置１Ｃは、地点１００Ｃに設置されていて、図１に示す制御対象部２に対応する構成である照明器具２Ｃ−１〜２Ｃ−３を制御する。この場合、制御装置１Ａと照明器具２Ａ−１〜２Ａ−３はディジーチェーン接続されていて、制御装置１Ａと照明器具２Ａ−１〜２Ａ−３とで１つの制御システムを構成する。制御装置１Ｂと照明器具２Ｂ−１〜２Ｂ−３はディジーチェーン接続されていて、制御装置１Ｂと照明器具２Ｂ−１〜２Ｂ−３とで１つの制御システムを構成する。制御装置１Ｃと照明器具２Ｃ−１〜２Ｃ−３はディジーチェーン接続されていて、制御装置１Ｃと照明器具２Ｃ−１〜２Ｃ−３とで１つの制御システムを構成する。
【００４２】
図５は、図４に示す制御システム１０ａの動作例を示すタイミング図である。図５は、上から順に、制御装置１Ａによる地点１００Ａ用プログラムの実行開始タイミング、照明器具２Ａ−１〜２Ａ−３の点灯タイミング、制御装置１Ｂによる地点１００Ｂ用プログラムの実行開始タイミング、照明器具２Ｂ−１〜２Ｂ−３の点灯タイミング、制御装置１Ｃによる地点１００Ｃ用プログラムの実行開始タイミング、照明器具２Ｃ−１〜２Ｃ−３の点灯タイミング、および時刻情報が示す時刻ｔ１〜ｔ８を示す。なお、地点１００Ａ用プログラムは、図１のプログラム１５２に対応し、プログラム選択情報テーブル１５１には当該プログラム１５２（地点１００Ａ用プログラム）の位置情報の範囲として地点１００Ａに対応する情報が設定されている。地点１００Ｂ用プログラムは、図１のプログラム１５２に対応し、プログラム選択情報テーブル１５１には当該プログラム１５２（地点１００Ｂ用プログラム）の位置情報の範囲として地点１００Ｂに対応する情報が設定されている。そして、地点１００Ｃ用プログラムは、図１のプログラム１５２に対応し、プログラム選択情報テーブル１５１には当該プログラム１５２（地点１００Ｃ用プログラム）の位置情報の範囲として地点１００Ｃに対応する情報が設定されている。
【００４３】
図５に示す動作例では、制御装置１Ａ、制御装置１Ｂおよび制御装置１Ｃは、それぞれ、地点１００Ａ用プログラム、地点１００Ｂ用プログラムおよび地点１００Ｃ用プログラムの実行を、時刻ｔ１で同時に開始する。地点１００Ａ用プログラムは、制御装置１Ａ（制御部１４Ａ）が行う照明器具２Ａ−１〜２Ａ−３の点灯制御の手順が記録されたプログラムである。地点１００Ｂ用プログラム、地点１００Ｃ用プログラムは、それぞれ制御装置１Ｂが行う照明器具２Ｂ−１〜２Ｂ−３の点灯制御の手順、制御装置１Ｃが行う照明器具２Ｃ−１〜２Ｃ−３の点灯制御の手順が記録されたプログラムである。次に、時刻ｔ２で、制御装置１Ａが照明器具２Ａ−１と照明器具２Ａ−２を赤で点灯する。次に、時刻ｔ３で、制御装置１Ａが照明器具２Ａ−３をオレンジで点灯する。次に、時刻ｔ４で、制御装置１Ｂが照明器具２Ｂ−１を黄色で点灯する。次に、時刻ｔ５で、制御装置１Ｂが照明器具２Ｂ−２を緑で点灯する。次に、時刻ｔ６で、制御装置１Ｂが照明器具２Ｂ−３を水色で点灯する。次に、時刻ｔ７で、制御装置１Ｃが照明器具２Ｃ−１を青で点灯する。次に、時刻ｔ８で、制御装置１Ｃが照明器具２Ｃ−２と照明器具２Ｃ−３を紫で点灯する。図５に示す例では、複数の照明器具が、一定の時間間隔で異なる照明色で順々に点灯する。このように、図４および図５に示す例では、制御システム１０ａにおいて、橋梁２０１に設置した複数の照明器具２Ａ−１〜２Ｃ−３を、独立して動作する３台の制御装置１Ａ〜１Ｃで連動して制御することができる。すなわち、本実施形態の制御システム１０ａでは、図１〜図３を参照して説明した制御装置１と同一構成の制御装置１Ａ〜１Ｃを異なる複数の地点１００Ａ〜１００Ｃにそれぞれ設置し、無線信号（例えば、ＧＰＳ信号）に基づいて生成した位置情報に基づいて地点毎に異なるプログラムを選択して無線信号（例えば、ＧＰＳ信号）に基づいて生成した時刻情報に同期して実行することで、各制御対象部２である照明器具２Ａ−１〜２Ｃ−３を連動して制御する。この構成によれば、制御装置１Ａ〜１Ｃ間の通信回線を省略することができ、また、連動性を容易に確保でき、複数の制御対象部２の互いに連動した制御を低コストで簡単に行うことができる。
【００４４】
次に、図６を参照して、図１に示す制御装置１を複数用いて、複数の制御対象部２を設置位置毎に異なる状態に制御する例について説明する。図６に示す制御システム１０ｂは、電波塔等の施設２０２の高さが異なる位置に互いに離間して設置した照明器具２Ｄ、２Ｅおよび２Ｆを、３台の図１に示す制御装置１（図６では制御装置１Ｄ、１Ｅおよび１Ｆとして示す）で制御する。制御装置１Ｄは、高さが概ねＨｄの地点１００Ｄに設置されていて、図１に示す制御対象部２に対応する構成である照明器具２Ｄを制御する。制御装置１Ｅは、高さが概ねＨｅの地点１００Ｅに設置されていて、図１に示す制御対象部２に対応する構成である照明器具２Ｅを制御する。制御装置１Ｆは、高さが概ねＨｆの地点１００Ｆに設置されていて、図１に示す制御対象部２に対応する構成である照明器具２Ｆを制御する。図６に示す例では各高さの関係がＨｄ＜Ｈｅ＜Ｈｆである。
【００４５】
制御システム１０ｂでは、各制御装置１Ｄ、１Ｅおよび１Ｆが、地点毎に異なる各２種類のプログラム１５２をそれぞれ選択して実行する。２種類のプログラムは種別がデイリーのプログラム１５２と種別がイベントのプログラム１５２である。制御装置１Ｄは、地点１００Ｄ用の種別がデイリーのプログラム１５２を実行することで矢印ｕｄで示すように照明角度を仰角２０ｄとして種々の照明色で照明器具２Ｄを点灯制御する。制御装置１Ｅは、地点１００Ｅ用の種別がデイリーのプログラム１５２を実行することで矢印ｕｅで示すように照明角度を仰角２０ｅとして種々の照明色で照明器具２Ｅを点灯制御する。制御装置１Ｆは、地点１００Ｆ用の種別がデイリーのプログラム１５２を実行することで矢印ｕｆで示すように照明角度を仰角２０ｆとして種々の照明色で照明器具２Ｆを点灯制御する。図６に示す例では各仰角の関係が仰角２０ｄ＜仰角２０ｅ＜仰角２０ｆである。一方、夜間の点検や工事中の期間をイベント期間として、各制御装置１Ｄ、１Ｅおよび１Ｆは、各地点の位置情報に対応付けられた制御内容が同一で種別がイベントのプログラム１５２を選択して実行する。例えば各制御装置１Ｄ、１Ｅおよび１Ｆは、当該イベント期間に同一のプログラム１５２を実行することで、一斉に矢印ｄｄ、ｄｅおよびｄｆで示す下向きの角度で適切な照明色で照明器具２Ｄ、２Ｅおよび２Ｆを点灯制御する。
【００４６】
以上のように本発明の実施形態に係る制御装置１、制御システム１０、１０ａおよび１０ｂによれば、制御装置１や制御装置１Ａ〜１Ｆを異なる複数の地点にそれぞれ設置し、無線信号に基づいて生成した位置情報に基づいて地点毎に異なるプログラム１５２を選択して無線信号に基づいて生成した時刻情報に同期して実行することで、遠隔地に設置された各制御対象部２（照明器具２Ａ−１等）を連動して制御することができる。また、無線信号に基づく時刻情報を、遠隔地に設置された各制御装置１で共有し、統一時間軸上で各地の制御装置１の動作を連動させることができる。これにより、遠隔地に設置された照明の点灯動作を連動させた照明による都市景観の照明演出を実現することができる。また、この構成によれば、通信回線を省略することができ、また、各制御装置１は、独立しており、無線信号により自律的に動作するため、互いを連動させるための通信回線や設定作業等が不要である。これにより、制御装置１を必要な場所に設置するだけで連動性を確保でき、制御装置１の増設、移動、撤去などが容易であり、イベント等の仮設での使用にも適している。また、通信回線を用いる場合に考えられる回線トラブルやハッキングの心配がない。また、無線信号をＧＰＳ信号とした場合、ＧＰＳ信号は無償で利用できるので、位置情報や時刻情報をネット回線や有線や無線回線を利用して取得する場合に発生する運用コストがかからない。またＧＰＳ信号は地球上どこでも受信でき、広範囲の連動制御ができる。
【００４７】
また、制御装置１は、制御対象部２を制御するためのプログラム１５２を複数種類記憶し、設置した地点によって実行するプログラム１５２を自動的に選択する。したがって、制御装置１は、すべての地点に対して同一の仕様で製造することができる。よって、地点毎に制御装置１を開発製造することと比べて開発費や製造コストを抑えることができる。また、各制御装置１にはすべて同一のソフトウェアをインストールすることができる。したがって地点毎にソフトウェアを開発制作するよりも開発費や制作費を抑えることができる。また、ソフトウェアの改修やアップデートは１種類で済み、アップロード等も容易である。
【００４８】
また、上記実施形態の制御装置１や制御システム１０、１０ａおよび１０ｂの使用例として次の例を挙げることができる。
【００４９】
（１）例えばある川に架かる複数の橋梁の照明演出を次のように行うことができる。ア）各橋に制御装置１と制御対象部２としての複数の照明器具を設置する。イ）デイリーの照明演出として例えば毎日１８時から２４時までの間、各橋に合わせた橋毎に異なる照明演出を行う。ウ）イベントの照明演出として、例えば国際的な催しの開催期間に、上流側から下流側の橋に向かって１秒おきに点灯を開始したり、照明色を変更したりする制御を行う。高い建築物やドローン、ヘリコプター等からの空撮映像演出に寄与できる。エ）遊覧水上バスの走行に合わせて各橋一定の時間間隔で連動変化する等の照明演出を行う。
【００５０】
（２）また緯度の異なる複数の地点での照明演出を次のように行うことができる。すなわち、緯度による日の入り時刻を判断し点灯を開始する。なお、点灯開始後の照明演出は各地点で連動させてもよい。あるいは、各地点で同じ点灯動作を行うようにしてもよい（つまり、この場合は、プログラム選択部１３は、時刻情報のみに基づいてプログラム１５２を選択する）。日の入り前の点灯を控えることで無駄な電力の消費を抑えることができる。
【００５１】
（３）例えば短期間のイベント等での仮設的な照明演出を次のように行うことができる。ア）イベント会場等における複数の予め定めた各地点に対応する複数のプログラム１５２を予めすべての制御装置１に格納しておく。イ）設置時には複数の制御装置１のうちの任意の１台を予め定めた複数の地点のうちの任意の１地点に設置するだけで各地点に適した演出照明を行うことができる。ウ）なお、設置位置情報記憶部１２には設置位置情報１２１として各地点を網羅する範囲の位置情報を記憶しておく。位置情報をパスワードとして用いることで制御装置１が盗難にあっても位置情報の不一致によるセキュリティロックを掛けることができる。これによって、不正使用を防止したり、このセキュリティがあることを知らせておけば盗難を防止したりすることができる。
【００５２】
次に、図７を参照して、本発明の他の実施形態に係る制御装置１ａについて説明する。図７は、開発あるいは製造の拠点に位置する制御装置１ａと図１に示した制御対象部２に対応するシミュレーション装置２１との組と、地点Ａの施設に設置されている制御装置１ａと図１に示した制御対象部２に対応する照明器具２２との組と、地点Ｂの施設に設置されている制御装置１ａと図１に示した制御対象部２に対応する照明器具２３との組を示す。ここで、開発あるいは製造の拠点では、例えば、各地点の照明器具２２および照明器具２３の点灯状態の把握やシミュレーション、動作管理プログラムや照明演出シーンを定めるプログラムのアップデート、装置や他のソフトウェアのバックアップ等が実施される。
【００５３】
図７に示す各制御装置１ａは、受信部１１と、プログラム選択部１３ａと、制御部１４ａと、プログラム記憶部１５ａとを備える。図７に示す受信部１１は、図１に示す受信部１１と同一構成であり、複数のＧＰＳ衛星４０が送信したＧＰＳ信号を受信し、位置情報と時刻情報を生成してプログラム選択部１３ａと制御部１４ａへ出力する。図７に示すプログラム選択部１３ａ、制御部１４ａおよびプログラム記憶部１５ａは、以下に説明する点が、図１に示すプログラム選択部１３、制御部１４およびプログラム記憶部１５とそれぞれ異なる。なお、図７では記載を省略しているが、図７に示す制御装置１ａは、図１に示した演出モード記憶部１６を備えている。また、図７に示す制御装置１ａは、図１に示した設置位置情報記憶部１２を備えていてもよい。
【００５４】
プログラム選択部１３ａは、内部の不揮発性メモリに記憶されているイベント動作管理プログラム１３１Ｅまたはデイリー動作管理プログラム１３１Ｄの一方を選択的に実行することで、制御部１４ａの動作を管理するための動作管理情報ＳＥまたは動作管理情報ＳＤを生成して制御部１４ａへ出力する。プログラム記憶部１５ａは、Ａ地点イベント用プログラム１５２Ｅ−ＡとＢ地点イベント用プログラム１５２Ｅ−Ｂとを記憶する。さらに、プログラム記憶部１５ａは、Ａ地点デイリー用プログラム１５２Ｄ−ＡとＢ地点デイリー用プログラム１５２Ｄ−Ｂとを記憶する。Ａ地点イベント用プログラム１５２Ｅ−ＡおよびＢ地点イベント用プログラム１５２Ｅ−Ｂは、図１および図２を参照して説明した種別がイベントのプログラム１５２に対応し、当該プログラム１５２に設定された位置情報がＡ地点またはＢ地点に対応する。この場合、Ａ地点イベント用プログラム１５２Ｅ−ＡはＡ地点の施設に設置されている照明器具２２におけるイベント用の照明演出の手順を定める。Ｂ地点イベント用プログラム１５２Ｅ−ＢはＢ地点の施設に設置されている照明器具２３におけるイベント用の照明演出の手順を定める。Ａ地点デイリー用プログラム１５２Ｄ−ＡおよびＢ地点デイリー用プログラム１５２Ｄ−Ｂは、図１および図２を参照して説明した種別がデイリーのプログラム１５２に対応し、当該プログラム１５２に設定された位置情報がＡ地点またはＢ地点に対応する。この場合、Ａ地点デイリー用プログラム１５２Ｄ−ＡはＡ地点の施設に設置されている照明器具２２におけるデイリー用の照明演出の手順を定める。Ｂ地点デイリー用プログラム１５２Ｄ−ＢはＢ地点の施設に設置されている照明器具２３におけるデイリー用の照明演出の手順を定める。図７で例示するように照明器具は、設置位置の照明演出に応じて、照明器具２２、照明器具２３のように異なる種類とすることができる。
【００５５】
プログラム選択部１３ａは、例えば制御装置１ａが備える図示していない切替スイッチによって設定された演出モード記憶部１６の設定内容に基づいて、イベント動作管理プログラム１３１Ｅまたはデイリー動作管理プログラム１３１Ｄのいずれか一方を選択して実行する。イベント動作管理プログラム１３１Ｅは、受信部１１が出力した位置情報に基づいてプログラム記憶部１５ａが記憶するＡ地点イベント用プログラム１５２Ｅ−ＡまたはＢ地点イベント用プログラム１５２Ｅ−Ｂの一方を選択し、選択したプログラムを、受信部１１が出力した時刻情報に同期して制御部１４ａに実行させるための動作管理情報ＳＥを生成し、制御部１４ａに出力する。デイリー動作管理プログラム１３１Ｄは、受信部１１が出力した位置情報に基づいてプログラム記憶部１５ａが記憶するＡ地点デイリー用プログラム１５２Ｄ−ＡまたはＢ地点デイリー用プログラム１５２Ｄ−Ｂの一方を選択し、選択したプログラムを、受信部１１が出力した時刻情報に同期して制御部１４ａに実行させるための動作管理情報ＳＤを生成し、制御部１４ａに出力する。なお、プログラム選択部１３ａは、制御装置１ａが開発または製造の拠点に設置されている場合、制御装置１ａが備える図示していない設定スイッチを所定の状態に設定することで、受信部１１がＡ地点やＢ地点に位置しているときの位置情報を出力した場合と同じ動作管理情報ＳＥまたは動作管理情報ＳＤを出力する機能を備えていてもよい。
【００５６】
制御部１４ａは、その制御部１４ａを有する制御装置１ａが開発または製造の拠点に設置されている場合、プログラム選択部１３ａ（イベント動作管理プログラム１３１Ｅまたはデイリー動作管理プログラム１３１Ｄ、以下同様）が出力した動作管理情報ＳＥまたは動作管理情報ＳＤに応じて、Ａ地点イベント用プログラム１５２Ｅ−Ａ、Ｂ地点イベント用プログラム１５２Ｅ−Ｂ、Ａ地点デイリー用プログラム１５２Ｄ−ＡまたはＢ地点デイリー用プログラム１５２Ｄ−Ｂのいずれかを実行し、受信部１１が出力した時刻情報に同期してシミュレーション装置２１に対して所定の制御信号を出力する。シミュレーション装置２１は、照明器具２２や照明器具２３の動作を模擬する装置である。
【００５７】
制御部１４ａは、その制御部１４ａを有する制御装置１ａが地点Ａの施設に設置されている場合、プログラム選択部１３ａが出力した動作管理情報ＳＥまたは動作管理情報ＳＤに応じて、Ａ地点イベント用プログラム１５２Ｅ−ＡまたはＡ地点デイリー用プログラム１５２Ｄ−Ａのいずれかを実行し、受信部１１が出力した時刻情報に同期して照明器具２２に対して所定の制御信号を出力して、照明器具２２によるＡ地点の演出照明を制御する。
【００５８】
制御部１４ａは、その制御部１４ａを有する制御装置１ａが地点Ｂの施設に設置されている場合、プログラム選択部１３ａが出力した動作管理情報ＳＥまたは動作管理情報ＳＤに応じて、Ｂ地点イベント用プログラム１５２Ｅ−ＢまたはＢ地点デイリー用プログラム１５２Ｄ−Ｂのいずれかを実行し、受信部１１が出力した時刻情報に同期して照明器具２３に対して所定の制御信号を出力して、照明器具２３によるＢ地点の演出照明を制御する。
【００５９】
なお、制御装置１ａが内部の所定の記憶装置に記憶するイベント動作管理プログラム１３１Ｅ、デイリー動作管理プログラム１３１Ｄ、Ａ地点イベント用プログラム１５２Ｅ−Ａ、Ｂ地点イベント用プログラム１５２Ｅ−Ｂ、Ａ地点デイリー用プログラム１５２Ｄ−Ａ、およびＢ地点デイリー用プログラム１５２Ｄ−Ｂは、例えば外部のパーソナルコンピュータ３０から一括してダウンロードして、新規に記憶したり、変更したりすることができる。
【００６０】
既に説明したように、複数の異なる地点に設置される制御装置１ａの構成は同一とすることができる。また、動作管理プログラムを同一にすることができる。図７を参照して説明した他の実施形態によれば、開発拠点で開発、改修、テストを行ったプログラム（Ａ地点イベント用プログラム１５２Ｅ−Ａ、Ｂ地点イベント用プログラム１５２Ｅ−Ｂ、Ａ地点デイリー用プログラム１５２Ｄ−Ａ、Ｂ地点デイリー用プログラム１５２Ｄ−Ｂ）を、パーソナルコンピュータ３０を介して、各地に設置した制御装置１に適用することができるので、メンテナンスに掛かるコストや手間を低減することができる。
また、図７を参照して説明した他の実施形態によれば、図１〜図６を参照して説明した実施形態と同様に、制御装置１ａはスタンドアローンで動作するので制御装置１ａ間の通信回線は省略可能である。また、ＧＰＳ信号による位置把握が可能であり、ＧＰＳ信号による同一時間軸での連動した動作が可能である。これにより、ＧＰＳ信号を用いて複数の異なる地点の屋外施設に対するライトアップ照明演出を自動で選択し、かつ各地の照明演出を連動させることができる。
【００６１】
なお、本発明の実施形態や使用例は上記のものに限定されない。例えば、図１において設置位置情報記憶部１２は省略してもよい。また、例えば位置情報を手動で設定したり、プログラム１５２を手動で選択したりするための設定を入力するための入力部を設けて、無線信号から取得した位置情報によらずにプログラムを選択できるようにしてもよい。例えば、複数の制御装置１が比較的近距離に設置されるような場合に、無線信号から取得した位置情報では各制御装置１を区別できないようなときに対応することができる。なお、制御装置１内で実行されるプログラムは、全部または一部をコンピュータ読取可能な記録媒体または通信回線を介して頒布することができる。
【００６２】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００６３】
１、１Ａ〜１Ｆ、１ａ・・・制御装置
２・・・制御対象部
２Ａ−１〜３、２Ｂ−１〜３、２Ｃ−１〜３、２Ｄ〜２Ｆ、２２、２３・・・照明器具
１０、１０ａ、１０ｂ・・・制御システム
１１・・・受信部
１２・・・設置位置情報記憶部
１３、１３ａ・・・プログラム選択部
１４、１４ａ・・・制御部
１５、１５ａ・・・プログラム記憶部
１２１・・・設置位置情報
１５１・・・プログラム選択情報テーブル
１５２・・・プログラム
【図１】
2017157469.tif 000003
【図２】
2017157469.tif 000004
【図３】
2017157469.tif 000005
【図４】
2017157469.tif 000006
【図５】
2017157469.tif 000007
【図６】
2017157469.tif 000008
【図７】
2017157469.tif 000009